【事件の表示】
　特願２０００−３５５２３６「コードレス電話器と、コードレス電話器内にデジタルビットストリーム音楽プレイヤを組み込む方法」拒絶査定不服審判事件〔平成１３年　７月１９日出願公開、特開２００１−１９７１７３〕について、次のとおり審決する。
【結　論】
　本件審判の請求は、成り立たない。
【理　由】
１．手続の経緯と本願発明
　本願は、平成１２年１１月２２日（パリ条約による優先権主張１９９９年１１月２３日、アメリカ合衆国）の出願であって、特許請求の範囲の請求項３に係る発明（以下、「本願発明」という。）は、平成１８年７月１９日付け手続補正書により補正された明細書及び図面の記載からみて、その特許請求の範囲の請求項３に記載された以下のとおりのものと認める。
　
（本願発明）
　「コードレス電話器内にＭＰＥＧ音声プレイヤを組み込む装置であって、
コードレス電話器のリモート送受話器から、予めロードしたＭＰ３音楽を再生する手段と、
前記コードレス電話器のベースユニットを公衆交換電話網(ＰＳＴＮ)に接続する手段と、
前記リモート送受話器が、現在の電話器呼出で作動しているときに、前記予めロードしたＭＰ３音楽の前記再生での音を消すための手段とを含む装置。」
　
２．引用発明及び周知技術
（１）これに対して、原審の拒絶理由に引用された国際公開第９９／４３１３６号（以下、「引用例」という。）には図面とともに以下の事項が記載されている。
　
　イ．「 A cellular telephone includes an internally integrated digital entertainment module. The telephone includes a transceiver unit and a headset which is connected to the transceiver unit by wired or wireless link. The entertainment module includes an interchangeable ROM and/or expansion RAM for storing music or other audio signals for playback through the telephone's headset. Music or other audio signals in digitized form is stored in the interchangeable ROM or is loaded into the expansion RAM from a CD player, computer, or other source of digitized audio signals. Under control of the cellular telephone's microprocessor, the digitally stored audio signal is played back through the telephone's headset. The entertainment module may be located in the transceiver unit, a removable battery pack, or in a separate adapter.」（フロント頁Abstract欄）
　
　（当審仮訳）「セルラ電話は内部に統合されたディジタル娯楽モジュールを含む。この電話はトランシーバ・ユニットと、有線または無線結合により前記トランシーバ・ユニットに接続するヘッドセットを含む。娯楽モジュールは、音楽またはその他のオーディオ信号を記憶して電話のヘッドセットを通して再生するための、交換可能なＲＯＭおよび／または拡張ＲＡＭを含む。ディジタル形式で記憶された音楽またはその他のオーディオ信号は交換可能なＲＯＭに記憶され、またはＣＤプレーヤやコンピュータやその他のディジタル化されたオーディオ信号源から拡張ＲＡＭにロードされる。セルラ電話のマイクロプロセッサの制御により、ディジタルで記憶されたオーディオ信号は電話のヘッドセットを通して再生される。娯楽モジュールは、トランシーバ・ユニット、または脱着可能な電池パック、または別個のアダプタの中に置いてよい。」
　
　ロ．「 SUMMARY OF THE INVENTION
 The present invention is a cellular telephone particularly adapted for leisure activities. The cellular telephone of the present invention includes a portable transceiver unit and a headset which can be worn by the user during leisure activities such as jogging, biking, gardening, etc. The transceiver unit includes a fully functional transceiver capable of sending and receiving voice and data signals via an RF carrier. The transceiver unit has an integral digital entertainment module including a memory for storing music or other audio signals for playback through the headset. For purposes of this application, memory means all forms of computer memory but dies not include disk storage, tape storage or other memory requiring electromechanical read systems. The memory may be in the form of a removable ROM cartridge and/or an expansion RAM. In those embodiments having an expansion RAM, an input port is provided for loading music or other audio signals into the expansion RAM from a CD player, computer, or other source of digitized audio. 
 Under the control of the transceiver unit's microprocessor, the digitally stored audio signal is played out through the telephone's headset, which in the preferred embodiment comprises stereo headphones. The headset may be connected to the phone by a wired or wireless link. Because of its integration into the cellular phone, the digital entertainment module can share components already present in the cellular phone. Such savings would not be available if a CD player were simply aggregated with the phone. Further, the use of solid state RAM or ROM, as opposed to disc storage, eliminates the need for bounce control circuitry. This enables the disclosed invention to provide cellular communications and entertainment during leisure activities.」（明細書第２頁第１４行〜第３頁第１３行）
　
　（当審仮訳）「（発明の概要）
　本発明は、特にレジャー活動に適したセルラ電話である。本発明のセルラ電話は、使用者がジョギングやサイクリングやガーデニングなどのレジャー活動中に身に付けて運ぶことのできる、携帯用トランシーバ・ユニットとヘッドセットを含む。トランシーバ・ユニットは、ＲＦキャリアを介して音声およびデータ信号を送信および受信することのできる全機能のトランシーバを含む。トランシーバ・ユニットは統合ディジタル娯楽モジュールを有し、この娯楽モジュールは音楽やその他のオーディオ信号を記憶してヘッドセットを通して再生するためのメモリを含む。この応用ではメモリとはあらゆる形式のコンピュータ・メモリを指すが、ディスク記憶装置やテープ記憶装置や電磁読取り機構を必要とするその他のメモリなどは含まない。メモリは脱着可能なＲＯＭカートリッジおよび／または拡張ＲＡＭの形でよい。拡張ＲＡＭを有する実施の形態では、音楽やその他のオーディオ信号をＣＤプレーヤやコンピュータやその他のディジタル・オーディオ源から拡張ＲＡＭにロードするための入力ポートを備える。
　トランシーバ・ユニットのマイクロプロセッサの制御により、ディジタルで記憶されたオーディオ信号を、電話のヘッドセット（好ましい実施の形態ではステレオ・ヘッドホン）を通して再生する。ヘッドセットは有線または無線連結により電話に接続する。セルラ電話に統合されるので、ディジタル娯楽モジュールはセルラ電話内の素子を共用することができる。ＣＤプレーヤを単に電話に付加した場合には共用による節約は不可能である。更に、ディスク記憶装置ではなく固体ＲＡＭまたはＲＯＭを用いるので、バウンス制御回路は必要ない。このため、本発明はレジャー活動中にセルラ電話通信と娯楽を提供することができる。」
　
　ハ．「 Referring now to the drawings, and particularly to Figures 1 through 3, the cellular phone of the present invention is shown therein and indicated generally by the numeral 10. The cellular phone 10 of the present invention is particularly adapted for use during leisure activities such as jogging, hiking, gardening, etc. 
 The cellular phone 10 includes a transceiver unit 12 and a headset 40 which can be worn on the head by the user. The transceiver unit 12 includes a main housing 14 and a removable battery pack 16 containing a rechargeable battery 28. 
 Housing 14 of the transceiver unit 12 contains an RF transceiver 18, control logic 20, program memory 22, and audio processing unit 24 which are operatively connected by a system bus 26. The RF transceiver 18 may be, for example, a class 1 mobile phone transceiver capable of transmitting and receiving radio signals containing voice and/or data. Audio processing unit 24 processes voice and data signals that are transmitted and received by the transceiver 18. Audio processing unit 24 may include voice recognition circuitry to enable activation and use of the phone 10 by voice commands for truly hands-free operation. The control logic 20 controls the operation of the transceiver 18 according to instructions stored in program memory 22. A keypad 30 and display 32 provide a user interface. Keypad 30 enables the user to enter dialing instructions and commands to initiate a call, and to select options. The display 32 displays the number dialed and call status information to the user. Display 32 may also display instructions or options to the user. Unlike a conventional cellular phone, the transceiver unit 12 of the present invention does not include an internal microphone and speaker, though such is within the scope of the contemplated invention. 
 The headset 40 includes stereo speakers 42 and microphone 44 that are connected to the transceiver unit 12 by a cable 46. Cable 46 may include a plug (not shown) which removably mates with a corresponding jack on the transceiver unit 12. 
 The cable 46 connects to the system bus 26 which routes audio signals from the audio processing unit 24 to and from the headset 40 under the control of the microprocessor 20. The jack could also connect directly to audio processing circuit 24. Alternatively, the headset 40 could communicate wirelessly with the transceiver unit 12, for example, by means of an infrared carrier, low power RF carrier or magnetic link. 
 The portable telephone 10 of the present invention includes a built-in digital entertainment module 50 (DEM) which allows music or other audio signals to be played-back through the cellular telephone's headset 40. The entertainment module 50 includes extended RAM and/or removable memory cartridges for storing music or other audio signals which can be played back through the headset 40 of the phone 10.」（明細書第４頁第２０行〜第６頁第８行）
　
　（当審仮訳）「本発明のセルラ電話を図面（特に図１から図３）で一般に１０で示す。本発明のセルラ電話１０は、ジョギングやサイクリングやガーデニングなどのレジャー活動中に用いるのに特に適している。
　セルラ電話１０は、トランシーバ・ユニット１２と、使用者が頭につけるヘッドセット４０を含む。トランシーバ・ユニット１２は、主ハウジング１４と、再充電可能な電池２８を内蔵する脱着可能な電池パック１６を含む。トランシーバ・ユニット１２のハウジング１４は、ＲＦトランシーバ１８と、制御論理２０と、プログラム・メモリ２２と、オーディオ処理ユニット２４を含み、これらはシステム・バス２６により接続される。ＲＦトランシーバ１８は、例えば音声および／またはデータを含む無線信号を送信および受信することのできるクラス１移動電話トランシーバである。
　オーディオ処理ユニット２４は、トランシーバ１８が送信および受信する音声およびデータ信号を処理する。オーディオ処理ユニット２４は音声認識回路を含み、音声命令により電話１０を起動および使用して、完全にハンズフリー操作を行うことができる。制御論理２０は、プログラム・メモリ２２に記憶された命令に従ってトランシーバ１８の動作を制御する。キーパッド３０とディスプレイ３２はユーザ・インターフェースを提供する。キーパッド３０を用いて、使用者は発呼のためのダイアルの指示と命令を入力し、またオプションを選択することができる。ディスプレイ３２はダイアルされた番号と呼の状態情報を使用者に表示する。またディスプレイ３２は命令またはオプションを使用者に表示する。従来のセルラ電話とは異なり、本発明のトランシーバ・ユニット１２は内部マイクロホンとスピーカを含まない。ただし、これらを含むことは本発明の範囲内である。
　ヘッドセット４０はステレオ・スピーカ４２とマイクロホン４４を含み、ケーブル４６によりトランシーバ・ユニット１２に接続する。ケーブル４６はプラグ（図示せず）を含み、プラグはトランシーバ・ユニット１２の対応する脱着可能なジャックに合う大きさである。ケーブル４６はシステム・バス２６に接続する。システム・バス２６は、マイクロプロセッサ２０の制御によりオーディオ処理ユニット２４からのオーディオ信号をヘッドセット４０に送る経路を形成する。またジャックはオーディオ処理回路２４に直接接続してもよい。または、ヘッドセット４０は、例えば赤外線キャリア、低電力ＲＦキャリアまたは磁気連結により、トランシーバ・ユニット１２と無線で通信することができる。
　本発明の携帯電話１０は埋込みディジタル娯楽モジュール５０（ＤＥＭ）を含む。娯楽モジュール５０により、セルラ電話のヘッドセット４０を通して音楽またはその他のオーディオ信号を再生することができる。娯楽モジュール５０は、電話１０のヘッドセット４０を通して再生する音楽またはその他のオーディオ信号を記憶するための拡張ＲＡＭおよび／または脱着可能なメモリ・カートリッジを含む。」
　
　ニ．「 In operation, the user would insert a removable ROM cartridge 56 into the transceiver unit 12 or load audio into the extended RAM 54 from a CD player, computer, or other source of digitized audio. The transceiver unit 12 is attached the belt or other article of clothing worn by the user. The headset 40 is placed on the user's head and connected to the transceiver unit 12. Playback of audio in the extended RAM 54 or removable ROM 56 could be activated via the keypad 30, or alternately, by voice command. The audio would be played back through the headset 40 under control of the microprocessor 20 while the user engages in leisure activities. When an incoming call is received, the microprocessor 20 automatically mutes or stops the playback of audio from the digital entertainment module 50 until the call is terminated.」（明細書第６頁第２３行〜第７頁第８行）
　
　（当審仮訳）「動作を説明すると、使用者は脱着可能なＲＯＭカートリッジ５６をトランシーバ・ユニット１２に挿入し、またはオーディオをＣＤプレーヤやコンピュータやその他のディジタル化されたオーディオ源から拡張ＲＡＭ５４にロードする。トランシーバ・ユニット１２は、使用者が着用するベルトまたは衣服のその他の部分に取り付ける。ヘッドセット４０は、使用者の頭につけてトランシーバ・ユニット１２に接続する。拡張ＲＡＭ５４または脱着可能なＲＯＭ５６内のオーディオの再生は、キーパッド３０を介してまたは音声命令により起動することができる。使用者がレジャー活動を行う一方で、オーディオはマイクロプロセッサ２０の制御によりヘッドセット４０を通して再生される。
　到着呼を受けると、マイクロプロセッサ２０は呼が終わるまで自動的にディジタル娯楽モジュール５０からのオーディオの再生の音を消しまたは再生を停止させる。」
　
　上記引用例の記載及び関連する図面ならびにこの分野における技術常識を考慮すると、上記ハの記載によれば、セルラ電話は、内部マイクロホンとスピーカを含むトランシーバ・ユニットとヘッドセットからなるものであって、上記ロの記載によれば、トランシーバ・ユニットは統合ディジタル娯楽モジュールを有するものであり、また、「ディジタル娯楽モジュールがセルラ電話内の素子を共用する」とあるのは、セルラ電話に統合ディジタル娯楽モジュールを組み込むことであり、また、上記イの記載によれば、セルラ電話は、ディジタル形式で記憶された音楽が電話のヘッドセットを通して再生されるものであり、当該ディジタル形式の音楽は、ＣＤプレーヤやコンピュータやその他のディジタル化されたオーディオ信号源から拡張ＲＡＭにロードされるものであるから、予めロードされたものであることは自明である。
　したがって、上記引用例には、以下の発明（以下、「引用発明」という。）が開示されている。
　
（引用発明）
　「セルラ電話に統合ディジタル娯楽モジュールを組み込む装置であって、
セルラ電話のトランシーバ・ユニットに接続されたヘッドセットを通して、予めロードしたディジタル形式の音楽を再生する手段と、
前記セルラ電話のトランシーバ・ユニットが到着呼を受けると呼が終わるまで、前記予めロードしたディジタル形式の音楽の前記再生での音を消す手段とを含む装置。」
　
（２）また、例えば特開平８−２６５４００号公報（以下、「周知例１」という。）には、図面とともに以下の事項ホが記載され、特開平８−９８２５９号公報（以下、「周知例２」という。）には、図面とともに以下の事項ヘが記載され、特開平６−９７８７４号公報（以下、「周知例３」という。）には、図面とともに以下の事項トが記載されている。
　
（周知例１）
ホ．「【０００２】
【従来の技術】典型的なコードレス電話システムは、ハンドセット或は遠隔ユニットと、ベースユニットを含む。ベースユニットは電話線に接続され、交換信号及び音響信号によって変調された無線周波数搬送波信号をハンドセットユニットに向けて送信或はこれから受信するためのアンテナ、送信機及び受信機を含む。ベースユニットの動作のための電力は地域の電力線から得られる。ハンドセットユニットは、スピーカとマイクロホン、並びに、同じように電話交換信号及び音響信号をベースユニットに向けて或はこれから受信するためのアンテナ、送信機及び受信機を含む。ハンドセットユニットの動作に対する電力はその中に含まれる電池から得られる。この電池は、普段は、ハンドセットユニットがベースユニット内に位置する受け台内に置かれているときに、地域の電力線によって充電される。」（第３頁第３〜４欄、段落【０００２】）
　
（周知例２）
ヘ．「【０００２】
【従来の技術】一般の電話機においては、その電話コードは、柱や壁などに取り付けられたローゼットに接続されている。したがって、電話機を移動できる範囲は、その電話コードの長さで決まり、数ｍ程度となってしまう。しかし、移動できる範囲を広くするため電話コードを長くすると、コードがもつれたり、じゃまになったりしてしまう。
【０００３】そこで、アメリカなどにおいては、コードレステレホンと呼ばれる電話機システムが考えられている。
【０００４】これは、図７に示すように、ハンドセットと呼ばれる送受信機１と、ベースユニットと呼ばれる送受信機２とにより構成され、電話回線３がベースユニット２に接続されるとともに、ベースユニット２とハンドセット１との間が電波により結合され、加入者の電話の応対は、ハンドセット１に対して一般の電話機と同様に行うものである。
【０００５】したがって、加入者は、電話時、ハンドセット１を自由に移動させることができ、例えば戸外で電話を使用できる。しかも、電話コードがもつれたり、じゃまになったりすることがない。」（第２頁第１〜２欄、段落【０００２】〜【０００５】）
　
（周知例３）
ト．「【請求項１】  電話回線に有線接続したベースユニットと、該ベースユニットに対し無線周波で連絡するポータブルユニットとから成り、該ポータブルユニットとから無線送信される接続要求コードを受信すると上記ベースユニットが確認コードを無線送信し、該送信された確認コードを該ポータブルユニットにて受信したときにのみ、該ポータブルユニットからのダイアル発呼か、または着信に対する通話を可能とするコードレス電話機において；上記ポータブルユニットにおける上記確認コード受信時に電界強度を検出し、該検出した電界強度が所定の値以下であった場合には、上記ポータブルユニットからのダイアル発呼か、または着信に対する通話を可能とする前に、該ポータブルユニットに設けた音響発生手段により、通話品質不良の警告音を発生させること；を特徴とするコードレス電話機における通話品質報知方法。」（第２頁第１欄、請求項１）
　
　ここで、周知例１の「コードレス電話システム」、周知例２の「コードレステレホン」、周知例３の「コードレス電話機」は、いずれも「コードレス電話器」と同義であって、周知例１の「ハンドセット或は遠隔ユニット」、周知例２の「ハンドセット」、周知例３の「ポータブルユニット」は、いずれも、携帯可能で無線通信により送受話を行うものであるから「携帯無線送受話器」ということができ、周知例１の「電話線」は電話回線であるから、いずれの周知例にも、携帯無線送受話器と電話回線に接続されたベースユニットからなるコードレス電話器が開示されている。
　そして、コードレス電話器の用途を勘案すると、当該電話回線が、公衆回線電話網の電話回線であることは明白であるから、当該コードレス電話器が、ベースユニットを公衆回線電話網に接続する手段を有していることは自明である。
　
　したがって、例えば、上記周知例１乃至３に開示されているように、「携帯無線送受話器とベースユニットからなるコードレス電話器であって、ベースユニットを公衆交換電話網に接続する手段を有するコードレス電話器」は周知である。
　
３．対比・判断
　本願発明と引用発明とを対比するに、引用発明の「セルラ電話」と本願発明の「コードレス電話器」は、ともに携帯しながら利用可能なポータブル無線電話装置である。
　また、引用発明の「統合ディジタル娯楽モジュール」と本願発明の「ＭＰＥＧ音声プレイヤ」は、ともに「音楽を再生可能な装置」であり、本願発明の「ＭＰ３」は、「ディジタル形式」の音声符号化方式の一種である。
　また、引用発明の「トランシーバ・ユニット」と、本願発明の「リモート送受話器」は、ともに、ポータブル無線電話装置における送受話を処理する機能を有するものであるから「携帯無線送受話ユニット」ということができる。
　そして、音楽の再生はスピーカによってなされるから、引用発明において、トランシーバ・ユニットに接続されたヘッドセットを通して再生することは、ヘッドセットのスピーカで再生することであり、本願発明において、リモート送受話器から再生することは、リモート送受話器のスピーカから再生することである。そして、ヘッドセットはトランシーバ・ユニットに接続されているから、ヘッドセットのスピーカも、リモート送受話器のスピーカも、携帯無線送受話ユニットに接続されたスピーカである。
　また、引用発明の「到着呼を受けると呼が終わるまで」と、本願発明の「現在の電話器呼出で作動しているとき」は、ともに、呼の動作中である点で共通している。
　したがって、本願発明と引用発明は、以下の点で一致し、また、相違している。
　
（一致点）
　「ポータブル無線電話装置内に音楽を再生可能な装置を組み込む装置であって、
携帯無線送受話ユニットに接続されたスピーカから、予めロードしたディジタル形式の音楽を再生する手段と、
ポータブル無線電話装置における携帯無線送受話ユニットが呼の動作中であるときに、前記予めロードしたディジタル形式の音楽の前記再生での音を消す手段と
を含む装置。」
　
（相違点１）
　「携帯無線送受話ユニット」を有する「ポータブル無線電話装置」について、本願発明は、「リモート送受話器」と「ベースユニットを有するコードレス電話器であって、ベースユニットを公衆交換電話網(ＰＳＴＮ)に接続する手段」を含むものであるのに対し、引用発明は、「トランシーバ・ユニット」を有する「セルラ電話」である点。
　
（相違点２）
　音楽を再生可能な装置について、本願発明は、「ＭＰＥＧ音声プレイヤ」であるのに対し、引用発明は、「統合ディジタル娯楽モジュール」である点。
　
（相違点３）
　ディジタル形式の音楽を再生する携帯無線送受話ユニットに接続されたスピーカについて、本願発明は、携帯無線送受話ユニットのスピーカであるのに対し、引用発明は、携帯無線送受話ユニットに接続されたヘッドセットのスピーカである点。
　
（相違点４）
　再生している音を消す期間の対象となる「呼の動作中」について、本願発明は、「現在の電話器呼出で作動しているとき」としているのに対し、引用発明は、「到着呼を受けると呼が終わるまで」とし、発呼時については対象としていない点。
　
（相違点５）
　ディジタル形式の音声符号化方式について、本願発明は、「ＭＰ３」であるのに対し、引用発明は特に符号化方式を特定せず、単にディジタル形式の音楽としている点。
　
　そこで、上記相違点１乃至５について検討する。
　まず、相違点１について検討するに、上記周知例１乃至３に開示されているように、「携帯無線送受話器とベースユニットからなるコードレス電話器であって、ベースユニットを公衆交換電話網に接続する手段を有するコードレス電話器」は周知であり、携帯無線送受話器は、ベースユニットと離れて利用する送受話器であるから「リモート送受話器」といえるものである。
　そして、引用発明のセルラ電話と周知のコードレス電話器は、ともに、携帯して移動しながら利用可能な無線電話という点で共通しているから、引用発明をトランシーバ・ユニットを有するセルラ電話に代えて、リモート送受話器とベースユニットからなるコードレス電話器であってベースユニットを公衆交換電話網に接続する手段を有するコードレス電話器に適用することは、当業者であれば容易になし得たことである。
　
　次に相違点２、５について検討するに、例えば「竹山正寿（外２名）、基礎知識から音質比較までＭＰ３の魅力を検証する、ＤＯＳ／Ｖ　ＳＰＥＣＩＡＬ、株式会社毎日コミュニケーションズ、１９９９年１０月１日発行（１９９９年９月１日（財）ソフトウエア情報センター受入）、第４巻、第１０号、第１４７〜１６３頁」に記載されるように、ＭＰ３はＭＰＥＧ１の音声符号化方式として周知であり、また、周知のＭＰ３プレイヤをＭＰＥＧ音声プレイヤと称することは任意である。
　そして、符号化方式を決定するに際し、周知の種々の符号化方式の性能や普及度等に応じて最適な符号化方式を選択を試みることは当業者であれば通常行うことであるから、引用発明においてディジタル形式の音声符号化方式を周知のＭＰ３とし、統合ディジタル娯楽モジュールをＭＰＥＧ音声プレイヤとすることは、当業者が容易になし得たことである。
　
　次に相違点３について検討するに、摘記事項ハに「本発明のトランシーバ・ユニット１２は内部マイクロホンとスピーカを含まない。ただし、これらを含むことは本発明の範囲内である。」とあるように、引用例のトランシーバ・ユニットは、マイクロホンとスピーカを有しており、ヘッドセットを取り外した状態の利用形態を排除するものではない。
　そして、一般に、携帯無線電話のヘッドセットは取り外し可能であり、接続時はヘッドセットを介して、取り外し時は電話本体部分のマイクロホンとスピーカを介して通話等を行うものである（例えば、特開平１０−３２７２２３号公報、特開平１１−１２２３３５号公報参照）から、引用発明において、ヘッドセットのスピーカにより、ヘッドセットを通して再生することに代えて、携帯無線送受話ユニットのスピーカにより、電話本体部分から再生するようにすることは、当業者であれば容易になし得たことである。
　
　最後に、相違点４について検討するに、発呼時においても、必要以上に大音量の音楽が通話の妨げになることは自明であるから、到着呼の場合のみならず、発呼時においても再生している音を消すようにし、現在の電話器呼出で作動しているときを音を消す期間の対象とすることは当業者であれば容易になし得たことである。
　
４．結語
　以上のとおり、本願発明は引用例に記載された発明及び周知技術並びに技術常識に基づいて容易に発明できたものであるから、特許法第２９条第２項の規定により、特許を受けることができないものである。
　
　よって、結論のとおり審決する。